(57)【特許請求の範囲】
【請求項１】
スライド引き出し自在にして複数段若しくは複数列に配設した各引出体の引き出しを阻止し得る位置に、ストッパー部を進退自在に設け、このストッパー部が突出状態にあるときこのストッパー部により前記引出体のスライド引き出しを阻止し、このストッパー部が退避状態にあるとき前記引出体をスライド引き出しし得るように構成し、前記一ヵ所のストッパー部を前記突出状態から可動させて前記退避状態とした際この可動に連動可動して他のストッパー部が退避状態となることを阻止する連動可動部を前記ストッパー部間に設けて、複数のストッパー部が同時に前記退避状態となることを阻止するストッパー解除防止機構を備え、前記ストッパー部間に夫々前記連動可動部を可動自在に設け、前記各連動可動部の端部に前記ストッパー部の前記突出状態から前記退避状態への可動によって前記連動可動部を前記ストッパー部間方向に連動可動させる前記連動作用部を設け、前記ストッパー部を前記突出状態から前記退避状態へ可動させることでこのストッパー部に対応する位置の前記連動作用部が押動されて前記連動可動部が連動可動し、この連動可動によって他の連動作用部により他のストッパー部の前記突出状態から前記退避状態への可動が阻止されるように前記ストッパー解除防止機構を構成したことを特徴とする複数同時引き出し防止装置。
【請求項２】
収納体に重量のある装置を有する前記引出体をスライド引き出しし得るように設け、この収納体に各引出体に対応させて前記ストッパー部を設けると共に前記ストッパー解除防止機構を設けたことを特徴とする請求項１記載の複数同時引き出し防止装置。
【請求項３】
収納体に複数の前記引出体をガイド部に沿って水平スライド引き出し自在に設け、この各引出体の引き出しを阻止し得る位置に前記ストッパー部をスライド可動自在に設けて進退自在に設け、外方へのスライドによって前記ストッパー部が前記突出状態にあるとき、このストッパー部がストッパー機能を果たして前記引出体の前記収納体からの水平スライド引き出しを阻止し、このストッパー部の内方へのスライドにより前記退避状態とすることで、ストッパー解除されて前記引出体の前記収納体からの水平スライド引き出しを許容するように構成し、この各ストッパー部間に前記連動可動部を配設して成る前記ストッパー解除防止機構を備え、このストッパー解除防止機構を介在して並設した前記ストッパー部に対応する引出体が、複数同時に引き出されることを防止するように構成したことを特徴とする請求項１，２のいずれか１項に記載の複数同時引き出し防止装置。
【請求項４】
前記各ストッパー部間に夫々前記連動可動部を可動自在に設け、前記各連動可動部の両端部に前記連動作用部を設け、前記一のストッパー部を前記突出状態から前記退避状態へ可動することで、前記連動可動部のこのストッパー部に対応する位置の一端部の前記連動作用部が押動されて前記連動可動部を連動可動すると共に、この可動方向に連設する他の連動可動部を連動可動し、前記一のストッパー部を前記退避状態としている限りは、前記連動可動部の戻動は阻止されていることで前記連動可動部に設けた前記連動作用部により他のストッパー部の前記突出状態から前記退避状態への可動が阻止されるように前記ストッパー解除防止機構を構成したことを特徴とする請求項１〜３のいずれか１項に記載の複数同時引き出し防止装置。
【発明の詳細な説明】
【０００１】
【発明の属する技術分野】
本発明は、引出体を複数同時には引き出すことができないようにする複数同時引き出し防止装置に関するものである。
【０００２】
【従来の技術及び発明が解決しようとする課題】
例えば、大型基板製作装置における加熱装置等は、枠材で構成した収納体に上下多段に収納配設し、容易に清掃やメンテナンス等が行えるように、この各段の加熱装置を収納体から支承ガイドを介して水平スライド引き出しできるように構成している。
【０００３】
しかし、このような加熱装置等の重量のある引出体を清掃やメンテナンス等をする際に同時に複数引き出してしまうと、引出体は重量があるため、重心が手前に片寄り収納体が転倒するおそれがある。
【０００４】
そこで、この各段に引出体の引き出しを阻止するストッパーを夫々解除自在に設け、引出体を引き出す際にはこのストッパーを一々解除して引き出すようにして、引出体を単に引き出すだけでは引き出しできなくさせると共に、同時に複数の引出体を引き出さないように注意を払わせるよう徹底することも考えられるが、これでも同時に複数の引出体を引き出すことを完全に防止できず、ストッパーがない場合と同様に複数の引出体を同時に引き出してしまうことは避けられない。
【０００５】
また、いずれか一つのストッパーが解除状態となったら電子回路を通じて、他のストッパーを電気的にロックし、解除し得ないように自動制御する制御装置を備えることで、確実に複数の引出体を同時に引き出してしまうことを電気的に防止することも可能ではあるが、このような制御装置は構造が複雑でありコスト高となってしまうことは避けられないし、また、取り付けも容易ではなく、電源も要する。
【０００６】
本発明は、上述のような現状に鑑み、引出体の引き出しを阻止し得る位置にストッパー部を進退自在に設け、このストッパー部のうちいずれか一つを退避状態として、一つの引出体を引き出しし得る状態とした場合には、他のストッパー部が退避状態となることを阻止する連動可動部をストッパー部間に設けて、複数のストッパー部が同時に退避状態となることを阻止するストッパー解除防止機構を備えることで、複数の引出体が同時に引き出されることを確実に防止でき、例えば大型で重量のある装置を複数段収納した収納体からこの引出体を誤って複数同時に引き出してしまうことでこれが転倒するような恐れがなくなり、常に安全に清掃やメンテナンス等を行うことができ、しかも、このストッパー解除防止機構は、進退可動させることでストッパー解除自在に設けたストッパー部のこの可動と連動する連動可動部により、一のストッパー部以外はストッパー解除不能となるように構成することで、電気的に制御を行う場合と比べて容易に構成可能で、コスト安に製作できると共に、取り付けも容易に行うことができ、また、既存の収納体に簡単に取り付けて確実に前記作用効果が発揮できるように設計することも可能となる等極めて実用的で画期的な複数同時引き出し防止装置を提供するものである。
【０００７】
【課題を解決するための手段】
添付図面を参照して本発明の要旨を説明する。
【０００８】
スライド引き出し自在にして複数段若しくは複数列に配設した各引出体１の引き出しを阻止し得る位置に、ストッパー部２を進退自在に設け、このストッパー部２が突出状態にあるときこのストッパー部２により前記引出体１のスライド引き出しを阻止し、このストッパー部２が退避状態にあるとき前記引出体１をスライド引き出しし得るように構成し、前記一ヵ所のストッパー部２を前記突出状態から可動させて前記退避状態とした際この可動に連動可動して他のストッパー部２が退避状態となることを阻止する連動可動部３を前記ストッパー部２間に設けて、複数のストッパー部２が同時に前記退避状態となることを阻止するストッパー解除防止機構４を備え、前記ストッパー部２間に夫々前記連動可動部３を可動自在に設け、前記各連動可動部３の端部に前記ストッパー部２の前記突出状態から前記退避状態への可動によって前記連動可動部３を前記ストッパー部２間方向に連動可動させる前記連動作用部７を設け、前記ストッパー部２を前記突出状態から前記退避状態へ可動させることでこのストッパー部２に対応する位置の前記連動作用部７が押動されて前記連動可動部３が連動可動し、この連動可動によって他の連動作用部７により他のストッパー部２の前記突出状態から前記退避状態への可動が阻止されるように前記ストッパー解除防止機構４を構成したことを特徴とする複数同時引き出し防止装置に係るものである。
【０００９】
また、収納体５に重量のある装置を有する前記引出体１をスライド引き出しし得るように設け、この収納体５に各引出体１に対応させて前記ストッパー部２を設けると共に前記ストッパー解除防止機構４を設けたことを特徴とする請求項１記載の複数同時引き出し防止装置に係るものである。
【００１０】
また、収納体５に複数の前記引出体１をガイド部６に沿って水平スライド引き出し自在に設け、この各引出体１の引き出しを阻止し得る位置に前記ストッパー部２をスライド可動自在に設けて進退自在に設け、外方へのスライドによって前記ストッパー部２が前記突出状態にあるとき、このストッパー部２がストッパー機能を果たして前記引出体１の前記収納体５からの水平スライド引き出しを阻止し、このストッパー部２の内方へのスライドにより前記退避状態とすることで、ストッパー解除されて前記引出体１の前記収納体５からの水平スライド引き出しを許容するように構成し、この各ストッパー部２間に前記連動可動部３を配設して成る前記ストッパー解除防止機構４を備え、このストッパー解除防止機構４を介在して並設した前記ストッパー部２に対応する引出体１が、複数同時に引き出されることを防止するように構成したことを特徴とする請求項１，２のいずれか１項に記載の複数同時引き出し防止装置に係るものである。
【００１１】
また、前記各ストッパー部２間に夫々前記連動可動部３を可動自在に設け、前記各連動可動部３の両端部に前記連動作用部７を設け、前記一のストッパー部２を前記突出状態から前記退避状態へ可動することで、前記連動可動部３のこのストッパー部２に対応する位置の一端部の前記連動作用部７が押動されて前記連動可動部３を連動可動すると共に、この可動方向に連設する他の連動可動部３を連動可動し、前記一のストッパー部２を前記退避状態としている限りは、前記連動可動部３の戻動は阻止されていることで前記連動可動部３に設けた前記連動作用部７により他のストッパー部２の前記突出状態から前記退避状態への可動が阻止されるように前記ストッパー解除防止機構４を構成したことを特徴とする請求項１〜３のいずれか１項に記載の複数同時引き出し防止装置に係るものである。
【００１２】
【発明の実施の形態】
好適と考える本発明の実施の形態（発明をどのように実施するか）を、図面に基づいてその作用効果を示して簡単に説明する。
【００１３】
引出体１は、突出状態となっているストッパー部２によって引き出しが阻止され、引き出すことができないが、このストッパー部２を突出状態から退避状態に可動することで、引出体１のスライド引き出しは阻止されなくなり、引出体１を引き出すことができる。
【００１４】
この時、いずれか一カ所のストッパー部２を退避状態にした際、ストッパー解除防止機構４により、このストッパー部２の可動に連動して対応する位置の連動可動部３が可動し、他のストッパー部２が退避状態となることを阻止するから、複数のストッパー部２を同時に退避状態とすることはできない。
【００１５】
従って、同時に複数の引出体１をスライド引き出しすることが阻止されるため、引出体１を複数段あるいは複数列引き出し自在に設けた収納体が、誤ってこの重量のある引出体１を複数引き出してしまうことで転倒するような心配は一切なくなる。
【００１６】
また、このストッパー解除防止機構４は、ストッパー部２の退避状態への可動に機械的に連動して連動可動部３が可動し、この連動可動部３の可動によって他のストッパー部２の退避状態への可動が阻止できるから、電気的に制御を行う場合と比べて構成が簡易で容易に製作可能で、コスト安に製作できると共に、取り付けも容易に行うことができる。
【００１７】
即ち、本発明は、例えばストッパー解除防止機構４を備えた各ストッパー部２を収納体の柱材部に付設するだけで、収納体の引出体１が誤って複数同時に引き出されることで転倒するような心配がなくなり常に安全に清掃やメンテナンス等を行うことが可能であり、しかも、既存の収納体にも容易に取り付け可能に設計でき、また、電源を要さずに部材の組み付け構成で一のストッパー部２の可動による連動によって他のストッパー部２の可動を阻止してストッパー解除防止機構４を実現するため、コスト安にして取り付け容易で汎用性が極めて向上する画期的な複数同時引き出し防止装置を提供できることとなる。
【００１８】
【実施例】
本発明の具体的な実施例について図面に基づいて説明する。
【００１９】
本実施例は図１〜８に示すように、金属製の枠材によって構成され上下多段に収納可能な棚枠型の収納体５に、複数の重量のある装置を有する引出体１を収納体５に設けられたガイド部６に沿って手前へ水平スライド引き出し自在に設け、この収納体５の柱材部一側正面の各引出体１の引き出しを阻止し得る位置に突出するストッパー部２を左右方向にスライド可動自在に設け、外方へ（収納体５内方へ）のスライド突出によってストッパー部２が柱材部から所定長突出状態にあるとき、このストッパー部２がストッパー機能を果たして前記引出体１の前記収納体５からの水平スライド引き出しを阻止し、このストッパー部２の内方へ（収納体５外方へ）のスライドにより突出長を小さくして退避状態とすることで、ストッパー解除されて前記引出体１の前記収納体５からの水平スライド引き出しが許容されるように構成している。
【００２０】
図７，８に示すようにこの収納体５は、上下多段に収納可能な棚枠に構成した上部三段に引出体１を設けるため、この収納体５の上部三段に、引出体１の左右両側に設けたガイドローラを支承して引出体１を手前に水平スライド引き出しするガイド部６が取り付けられている。
【００２１】
図１に示すように各引出体１は、前記ガイドローラを設けたトレイに大型基板製作装置における重量のある加熱装置を載置収納したものであり、この引出体１は、収納体５の各段に設けられたガイド部６に沿って設けられ、このガイド部６を介して水平スライド引き出しできるように構成されている。
【００２２】
ストッパー部２は、ステンレス製の板材で形成し、このストッパー部２は図７，８に示すように、突出して引出体１の引き出しを阻止する部分を基端部とし、図６に示すようにこの基端部から中央部までは同一幅とし、中央部から先端部に向かうにつれて徐々に幅狭となるように傾斜縁８を形成した形状としている。
【００２３】
また、このストッパー部２の基端部には、引出体１の引き出しをより安全確実に阻止するために、ステンレス製の阻止板11を引出体１側に突設している。
【００２４】
尚、本実施例においては、この収納体５に各段の引出体１の引き出しを阻止する前記ストッパー部２とは別に補助ストッパー13を設け、この補助ストッパー13を解除し、且つストッパー部２を解除しなければ引出体１を引き出せないようにすることで、より一層の安全化を図っている。
【００２５】
また、この各ストッパー部２間に、前記一カ所のストッパー部２を前記突出状態から可動させて前記退避状態とした際この可動に連動可動し他のストッパー部２が前記退避状態となることを阻止する連動可動部３を配設して成るストッパー解除防止機構４を備え、このストッパー解除防止機構４を介在して並設した前記ストッパー部２に対応する引出体１が、複数同時に引き出されることを防止するように構成している。
【００２６】
連動可動部３は、ステンレス製の長板で、この連動可動部３の両端部には螺着孔が穿設され、両端縁は半円状に湾曲凹設形成されている。
【００２７】
この連動可動部３の両端部には凸部が設けられ、この凸部が連動作用部７として設定されている。
【００２８】
この両端部の凸部はピン等を溶接することで設けてもよいが、本実施例では、この連動可動部３の両端部の螺着孔に、ネジを螺着して、この螺着したネジの突出した頭部を前記連動作用部７としている。
【００２９】
本実施例は図２に示すように、収納体５の柱材部一側正面に取り付けるために縦長に形成した一枚のステンレス製の取り付け板15に、ストッパー部２と連動可動部３を夫々所定方向にスムーズに可動させるためのガイド体14を取り付け、このガイド体14に沿って、連動可動部３は上下方向に可動自在に取り付けてこの可動方向に連設され、この連動可動部３の端部と重なるようにストッパー部２を左右方向にスライド可動自在に収納体５の引出体１と対応する間隔で取り付けネジ16によって取り付けられ、この取り付け板15をネジによって収納体５の柱材部一側正面に取り付けている。
【００３０】
また、本実施例においては、収納体５の引出体１の数に合わせてストッパー部２を３つ、連動可動部３を２つ取り付けた構成としている。
【００３１】
この連動可動部３が可動して可動方向に連動可動部３がある場合には、この連動可動部３を可動方向に連動可動するように構成されている。
【００３２】
また、このストッパー部２が押し込まれて内方へスライド移動をした際には、傾斜縁８によって連動作用部７が押動されることで、連動可動部３を同方向に連動可動するように構成され、この連動作用部７がストッパー部２の中央部に当接するまでストッパー部２を押し込むことで退避状態となるように構成され、このストッパー部２をガイド体14から外方にスライド移動して、連動作用部７がストッパー部２の中央部から傾斜縁８に移行するまで引き抜くことで突出状態となるように構成されている。
【００３３】
また、ストッパー部２には長さ方向に伸びた長窓９が形成され、この長窓９の内縁は抜け止め係止部10と係止するように構成され、ストッパー部２がスライド移動した際に、抜け外れてしまうことを防止でき、さらに、がたつきなく直線方向にスライド移動できるガイドの役割も果たし、また、この連動可動部３の両端から所定距離の位置には、両端縁の湾曲と嵌合するように構成されている係止凸部12が設けられているため、連動可動部３が所定の範囲以上可動せず、しかも、抜け外れてしまうことを防止できる。
【００３４】
本実施例においては、上記抜け止め係止部10と係止凸部12は、取り付けネジ16がストッパー部２の長窓９を挿通して取り付けることで抜け止め係止部10として機能するように構成され、更に、連動可動部３の両端縁と嵌合するように形成されて所定距離に位置することで係止凸部12としても機能するように構成されている。
【００３５】
また、連動可動部３は、各ストッパー部２間に一つずつ、可動範囲を規定する係止凸部12に挟まれて連設されるように構成されているが、この各連動可動部３の可動範囲の和は、ストッパー部２の最大幅より広く、ストッパー部２二つ分の最大幅よりも狭く設定されているため、ストッパー部２は複数同時に退避状態となることができない。
【００３６】
また、いずれか一つのストッパー部２が退避状態へ可動することによって、連動可動部３が連動可動すると、他のストッパー部２が内方へスライド移動する際、対応する位置の連動作用部７は、ストッパー部２の傾斜縁８に押動されても連動可動部３の可動範囲がストッパー部２の最大幅より狭く設定されているため、この連動作用部７がストッパー部２の中央部に当接する位置までスライド移動することができず、この連動作用部７により他のストッパー部２が押し込めなくなるため、内方へのスライド移動が途中で阻止され退避状態とすることができない。
【００３７】
また、ストッパー部２の内方へのスライド移動が完了し退避状態となると、押動されストッパー部２の中央部と当接する位置にある連動作用部７は、ストッパー部２の中央部によって戻動が阻止されるように構成されているため連動可動部３の戻動も阻止され、他のストッパー部２を押し込んで内方へのスライド移動を行っても、連動作用部７が傾斜縁８によって押動されないため、連動可動部３を可動することができない。
【００３８】
従って、本実施例のストッパー解除防止機構４は、上記構成のストッパー部２と連動可動部３とにより、一のストッパー部２の可動による連動によって他のストッパー部２の可動を阻止することで実現するため、電気的に制御を行う場合と比べて構成が簡易で容易に製作可能で、コスト安に製作できる。
【００３９】
また、簡易な構成であるから容易に取り付け板15に取り付けることができ、この取り付け板15を収納体５等に取り付けるだけで引出体１が複数同時に引き出されることを防止できるため、取り付けが極めて容易で既存の収納体５にも容易に取り付けることができる。
【００４０】
また、本実施例では、ストッパー部２と連動可動部３を夫々所定方向にスムーズに可動させるためのガイド体14を設けているが、このガイド体14は合成樹脂で形成することで製作容易であり、また、金属同志の摩擦による摩耗を避けることができる。
【００４１】
また、取り付け板15に取り付けたストッパー部２等の可動部分を、カバー体17を取り付けネジ16によって取り付け、可動部を覆うように構成したため、外見上も繕うことができる。
【００４２】
本実施例は上述のように構成したから、収納体５に収納された装置を清掃やメンテナンス等をする際にこの装置を有する引出体１を引き出すには、各段に設けられた補助ストッパー13を解除し、ストッパー部２を退避状態とする必要がある。
【００４３】
例えば、本実施例の収納体５の三つの段が全て突出状態である場合に（図３）、このうち上段のストッパー部２を退避状態とするには、この上段のストッパー部２を押し込んで内方にスライド移動させることで上段のストッパー部２は退避状態となる（図４）。
【００４４】
また、この上段のストッパー部２を退避状態とする際、ストッパー解除防止機構４が働き、上段と中段の間の連動可動部３が、押し込まれたストッパー部２の下側の傾斜縁８によって上部の連動作用部７が下方に押動されることで同方向に連動可動し、さらに、この可動に連動して中段と下段の間の連動可動部３もまた同方向に連動可動することで、各連動可動部３の下端部の湾曲と係止凸部12が近接して、連動可動部３の可動範囲がストッパー部２の最大幅より狭まる。
【００４５】
即ち、他のストッパー部２を退避状態とするために内方へスライド移動させても、これら他のストッパー部２の先端部の側面に近接する連動作用部７は、上段のストッパー部２の傾斜縁８によって押動されて上段のストッパー部２の中央部に当接している連動作用部７がこの中央部によって戻動が阻止されていることで連動可動部３の戻動も阻止されているから、他のストッパー部２を押し込んで傾斜縁８によって連動作用部７を押動しても、連動可動部３が連動可動せずストッパー部２の中央部に当接する位置まで連動作用部７を押動できないため、この連動作用部７により内方へのスライド移動が途中で阻止され、他のストッパー部２を退避状態とすることはできない。
【００４６】
次に、上段のストッパー部２を引き抜いて突出状態とすることで、また全てのストッパー部２を突出状態とし（図３）、このうち今度は中段のストッパー部２を退避状態とするには、この中段のストッパー部２を押し込んで内方にスライド移動させることで中段のストッパー部２は退避状態となる（図５）。
【００４７】
また、この中段のストッパー部２を退避状態とする際、ストッパー解除防止機構４が働き、上段と中段の間の連動可動部３が、押し込まれたストッパー部２の上側の傾斜縁８によって下部の連動作用部７が上方に押動されることで同方向に連動可動して、この連動可動部３の上端部の湾曲と係止凸部12とが近接するのと同時に、中段と下段の間の連動可動部３が、押し込まれたストッパー部２の下側の傾斜縁８によって上部の連動作用部７が下方に押動されることで同方向に連動可動して、この連動可動部３の下端部の湾曲と係止凸部12とが近接することで、連動可動部３の可動範囲がストッパー部２の最大幅より狭まる。
【００４８】
即ち、他のストッパー部２を退避状態とするために内方へスライド移動させても、このストッパー部２の先端部の側面に近接する連動作用部７は、中段のストッパー部２の両側面の傾斜縁８によって押動されて中央部に当接している連動作用部７がこの中央部によって戻動が阻止されていることで連動可動部３の戻動も阻止されているから、他のストッパー部２を押し込んで傾斜縁８によって連動作用部７を押動しても、連動可動部３が連動可動せずストッパー部２の中央部に当接する位置まで連動作用部７を押動できないため、この連動作用部７により内方へのスライド移動が途中で阻止され、他のストッパー部２を退避状態とすることはできない。
【００４９】
次に、この中段のストッパー部２を引き抜いて突出状態とし、全てのストッパー部２を突出状態として、下段のストッパー部２を退避状態とする際にも、上段・中段と同様にストッパー解除防止機構４が働く。
【００５０】
従って、本実施例は、全てのストッパー部２が突出状態であるときは、このうちどのストッパー部２でも退避状態とすることができるが、いずれか一つのストッパー部２が退避状態となると他のストッパー部２を退避状態とすることは確実に阻止されることとなる。
【００５１】
尚、本発明は、本実施例に限られるものではなく、各構成要件の具体的構成は適宜設計し得るものである。
【００５２】
【発明の効果】
本発明は上述のように構成したから、例えばストッパー解除防止機構を備えた各ストッパー部を収納体の柱材部に付設するだけで、収納体の引出体が誤って複数同時に引き出されることで転倒するような心配がなくなり常に安全に清掃やメンテナンス等を行うことが可能であり、しかも、既存の収納体にも容易に取り付け可能に設計でき、また、電源を要さずに部材の組み付け構成で一のストッパー部の可動による連動によって他のストッパー部の可動を阻止してストッパー解除防止機構を実現するため、コスト安にして取り付け容易で汎用性が極めて向上する画期的な複数同時引き出し防止装置となる。
【００５３】
また、ストッパー部と連動可動部との可動をスムーズに行なえ、更に、いずれか一つのストッパー部を退避状態とした際、より確実に他のストッパー部が退避状態となることを防ぐことができる。
【００５４】
また、請求項２に記載の発明においては、前記請求項１に記載の発明の作用効果に加え、収納体に収納した重量のある装置を有する引出体を引き出す際もより安全に使うことができ、一層実用的な複数同時引き出し防止装置となる。
【００５５】
また、請求項３に記載の発明においては、前記請求項１，２に記載の発明の作用効果に加え、ストッパー部の進退がより抵抗なくスムーズとなりより一層実用的な複数同時引き出し防止装置となる。
【００５６】
また、請求項４に記載の発明においては、前記請求項１〜３に記載の発明の作用効果に加え、いずれか一つのストッパー部を退避状態とした際、より一層確実に他のストッパー部が退避状態となることを防ぐことができ、極めて実用的な複数同時引き出し防止装置となる。
【図面の簡単な説明】
【図１】  本実施例の説明斜視図である。
【図２】  本実施例の分解説明斜視図である。
【図３】  本実施例の全てのストッパー部を突出状態とした際の説明平面図である。
【図４】  本実施例の上段のストッパー部を退避状態とした際の説明平面図である。
【図５】  本実施例の中段のストッパー部を退避状態とした際の説明平面図である。
【図６】  本実施例の拡大説明平面図である。
【図７】  本実施例の説明斜視図である。
【図８】  本実施例の説明正面図である。
【符号の説明】
１  引出体
２  ストッパー部
３  連動可動部
４  ストッパー解除防止機構
５  収納体
６  ガイド部
７  連動作用部
【図１】
0003686637.tif 000002
【図２】
0003686637.tif 000003
【図３】
0003686637.tif 000004
【図４】
0003686637.tif 000005
【図５】
0003686637.tif 000006
【図６】
0003686637.tif 000007
【図７】
0003686637.tif 000008
【図８】
0003686637.tif 000009